(57)【要約】【課題】無線通信システムで上りリンク伝送電力制御を提供する。【解決手段】無線通信システムで干渉を減らす上りリンク伝送電力を制御する方法は、無線ネットワーク制御機と機能的に接続された基地局と使用者機器間の上りリンク専用チャネルを介して上りリンク通信を設定する段階を含む。前記方法はまた、前記使用者機器の伝送電力を制御するために基地局から、他の基地局と関連するハンドオーバーにある少なくとも一つの使用者機器に関する情報に応答して決定され、て無線ネットワーク制御機から受信した伝送電力情報を含むスケジューリング情報から決定される、スケジューリング命令語を受信する段階を含む。前記方法はまた、前記スケジューリング命令語に応答して上りリンクデータ伝送を制御する段階を含む。【選択図】図１
2008510355.tif 000002
【特許請求の範囲】
【請求項１】
無線通信システムで干渉を減らす上りリンク伝送電力を制御する方法は、
無線ネットワーク制御機と機能的に接続された基地局と使用者機器間の上りリンク専用チャネルを介して上りリンク通信を設定する段階と、
前記使用者機器の伝送電力を制御するために基地局から、他の基地局と関連するハンドオーバーにある少なくとも一つの使用者機器と関連する情報に応答して決定され、無線ネットワーク制御機から受信した伝送電力情報を含むスケジューリング情報から決定される、スケジューリング命令語を受信する段階と、
前記スケジューリング命令語に応答して上りリンクデータ伝送を制御する段階と、を含む、伝送電力制御方法。
【請求項２】
前記スケジューリング命令語は、前記無線ネットワーク制御機と通信中にある多数の使用者機器のうちの各一つのための、相応する最大伝送電力レベルと関連することを特徴とする、請求項１に記載の伝送電力制御方法。
【請求項３】
前記スケジューリング命令語は、前記上りリンク専用チャネルを制御することに適用されることを特徴とする、請求項１に記載の伝送電力制御方法。
【請求項４】
前記スケジューリング命令語は、絶対的な電力レベルを含むことを特徴とする、請求項１に記載の伝送電力制御方法。
【請求項５】
前記スケジューリング命令語は、相対的な電力レベルを含むことを特徴とする、請求項１に記載の伝送電力制御方法。
【請求項６】
前記基地局は、Ｎｏｄｅ−Ｂであることを特徴とする、請求項１に記載の伝送電力制御方法。
【請求項７】
前記伝送電力情報は、前記使用者機器による隣り合う基地局に対する干渉に応じて決定されることを特徴とする、請求項１に記載の伝送電力制御方法。
【請求項８】
前記干渉は、
（１）前記隣り合う基地局から前記使用者機器までの距離、
（２）フェーディング、
（３）前記使用者機器の速度
のうち、少なくとも一つを含むことを特徴とする、請求項７に記載の伝送電力制御方法。
【請求項９】
前記基地局によって制御されるセル境界に近接している使用者機器が、前記基地局により近接している使用者機器よりも低い伝送電力レベルを受けることを特徴とする、請求項１に記載の伝送電力制御方法。
【請求項１０】
無線通信システムで干渉を減らす上りリンク伝送電力をスケジューリングする方法は、
無線ネットワーク制御機と機能的に接続された基地局と使用者機器間の上りリンク専用チャネルを介して上りリンク通信を設定する段階と、
前記使用者機器の伝送電力を制御するために前記使用者機器に、他の基地局とソフトハンドオーバーの関係にある少なくとも一つの使用者機器に関連する情報に応答して決定され、前記無線ネットワーク制御機から受信される伝送電力情報を含むスケジューリング情報から決定される、スケジューリング命令語を伝送し、前記使用者機器は、前記スケジューリング命令語に応答して上りリンクデータ伝送を制御することことを特徴とするスケジューリング命令語伝送段階と、
を含む、伝送電力スケジューリング方法。
【請求項１１】
前記スケジューリング命令語は、前記無線ネットワーク制御機と通信中にある多数の使用者機器のうちの各一つのための、相応する最大伝送電力レベルと関連することを特徴とする、請求項１０に記載の伝送電力制御方法。
【請求項１２】
前記スケジューリング命令語は、上りリンク伝送チャネルを制御するのに適用されることを特徴とする、請求項１０に記載の伝送電力制御方法。
【請求項１３】
前記スケジューリング命令語は、絶対的な電力レベルを含むことを特徴とする、請求項１０に記載の伝送電力制御方法。
【請求項１４】
前記スケジューリング命令語は、相対的な電力レベルを含むことを特徴とする、請求項１０に記載の伝送電力制御方法。
【請求項１５】
前記基地局は、Ｎｏｄｅ−Ｂであることを特徴とする、請求項１０に記載の伝送電力制御方法。
【請求項１６】
前記伝送電力情報は、前記使用者機器による隣り合う基地局に対する干渉に応じて決定されることを特徴とする、請求項１０に記載の伝送電力制御方法。
【請求項１７】
前記干渉は、
（１）前記隣り合う基地局から前記使用者機器までの距離、
（２）フェーディング
（３）前記使用者機器の速度
のうち、少なくとも一つを含むことを特徴とする、請求項１６に記載の伝送電力制御方法。
【請求項１８】
前記基地局によって制御されるセル境界に近接している使用者機器が、前記基地局により近接している使用者機器よりも低い伝送電力レベルを受けることを特徴とする、請求項１０に記載の伝送電力制御方法。
【請求項１９】
無線通信システムで干渉を減らす上りリンク伝送電力を制御する方法は、
無線ネットワーク制御機と機能的に接続された基地局と使用者機器間の上りリンク専用チャネルを介して上りリンク通信を設定する段階と、
前記使用者機器の伝送電力を制御するために基地局から、他の基地局と関連するハンドオーバーにある少なくとも一つの使用者機器に関する情報に応答して決定され、無線ネットワーク制御機から受信した伝送電力情報を含むスケジューリング情報から決定される、スケジューリング命令語を受信する段階と、
前記スケジューリング命令語に応答して上りリンクデータ伝送を制御する段階と、
を含む、伝送電力制御方法。
【請求項２０】
前記スケジューリング命令語は、前記無線ネットワーク制御機と通信中にある多数の使用者機器のうちの各一つのための、相応する最大伝送電力レベルに関連することを特徴とする、請求項１９に記載の伝送電力制御方法。
【請求項２１】
前記スケジューリング命令語は、前記上りリンク専用チャネルを制御するのに適用されることを特徴とする、請求項１９に記載の伝送電力制御方法。
【請求項２２】
無線通信システムで干渉を減らす上りリンク伝送電力をスケジューリングする方法は、
無線ネットワーク制御機と機能的に接続された基地局と使用者機器間の上りリンク専用チャネルを介して上りリンク通信を設定する段階と、
前記使用者機器の伝送電力を制御するために前記使用者機器に、他の基地局とソフトハンドオーバーの関係にある少なくとも一つの使用者機器に関する情報に応答して決定され、前記無線ネットワーク制御機から受信する伝送電力情報を含むスケジューリング情報から決定される、スケジューリング命令語を伝送し、前記使用者機器は、前記スケジューリング命令語に応答して上りリンクデータ伝送を制御することを特徴とするスケジューリング命令語伝送段階と、
を含む、伝送電力スケジューリング方法。
【請求項２３】
前記スケジューリング命令語は、前記無線ネットワーク制御機と通信中にある多数の使用者機器のうちの各一つのための、相応する最大伝送電力レベルに関連することを特徴とする、請求項２２に記載の伝送電力制御方法。
【請求項２４】
前記スケジューリング命令語は、上りリンク伝送チャネルを制御するのに適用されることを特徴とする、請求項２２に記載の伝送電力制御方法。
【発明の詳細な説明】
【技術分野】
【０００１】
本発明は、無線通信システムに関すもので、より具体的には、無線通信システムで上りリンク伝送電力制御に関する。
【背景技術】
【０００２】
Ｎｏｄｅ−Ｂスケジューリングは、ＵＥが上りリンクでパケットを伝送する場合、Ｎｏｄｅ−Ｂによって制御されるセル内に存在するＵＥの上りリンク伝送を制御する過程である。前記Ｎｏｄｅ−Ｂによる制御は実時間で行われる。この制御は、上りリンク資源をより效率的に利用可能にし、セルスループット（ｔｈｒｏｕｇｈｐｕｔ）及び容量を改善する。
【０００３】
従来のＮｏｄｅ−Ｂスケジューリング方法において、Ｎｏｄｅ−Ｂは、各伝送時間間隔（Ｔｒａｎｓｍｉｓｓｉｏｎ  Ｔｉｍｅ  Ｉｎｔｅｒｖａｌ：ＴＴＩ）に使用者機器の上りリンクパケット伝送電力を制限するために命令語を伝送する。これは、ＲＯＴ（Ｒｉｓｅ  Ｏｖｅｒ  Ｔｈｅｒｍａｌ）がセル内で適切な水準に維持されるようにすることができる。
【０００４】
より具体的に、各ＴＴＩでＮｏｄｅ−Ｂは、ＵＥがパケットを伝送する時に適用されうる上りリンク専用物理制御チャネル（Ｄｅｄｉｃａｔｅｄ  Ｐｈｙｓｉｃａｌ  Ｃｏｎｔｒｏｌ  Ｃｈａｎｎｅｌ：ＤＰＣＣＨ）のそれぞれの最大電力オフセット値（または、大きさ）をＵＥに知らせる。すると、ＵＥは、最大電力オフセット値（または、大きさ）内の許容可能なデータ率の範囲から選択されたデータ率でパケットを伝送する。各ＵＥのために、スケジューリング命令語が上りリンクＤＰＣＣＨ以外の他の上りリンクチャネルまたは特定上りリンクチャネル（特に、Ｅ−ＤＰＣＨ）に適用されることができる。
【０００５】
図１に、従来の上りリンクＮｏｄｅ−Ｂスケジューリング方法を例示する。
【０００６】
図１に示すように、ＵＥ１  １４、ＵＥ２  １５及びＵＥ３  １６がＮｏｄｅ−Ｂ１  １２のスケジューリングにしたがって上りリンクでデータを伝送する。ＵＥ１  １４はＮｏｄｅ−Ｂ１  １２と通信中であり、ＵＥ２  １５及びＵＥ３  １６はそれぞれ、Ｎｏｄｅ−Ｂ１  １２とＮｏｄｅ−Ｂ２  １３と同時に通信中であるソフトハンドオーバー中である。
【０００７】
この場合、Ｎｏｄｅ−Ｂ２  １３は、Ｎｏｄｅ−Ｂ２  １３によって制御されるセルに属するＵＥに対してのみ上りリンク伝送をスケジューリングすることができる。したがって、Ｎｏｄｅ−Ｂ２  １３は、Ｎｏｄｅ−Ｂ１  １２によって制御されるセルに属するＵＥ  １４，１５，１６の上りリンク伝送によって引き起こされた干渉を效果的に制御できず、この場合、干渉の度合は非常に大きい。また、Ｎｏｄｅ−Ｂ２  １３は、Ｎｏｄｅ−Ｂ２  １３によってスケジューリングされた伝送を行うＵＥによって引起こされるＮｏｄｅ−Ｂ１  １２に対する干渉の度合を決定することができない。したがって、Ｎｏｄｅ−Ｂ２  １３は、Ｎｏｄｅ−Ｂ１  １２及び周辺セルに対する干渉の情報を考慮してスケジューリングを行うことが不可能である。
【発明の開示】
【発明が解決しようとする課題】
【０００８】
したがって、本発明は、従来技術の限界及び欠点による一つ以上の問題点を実質的に解決する上りリンク伝送電力をスケジューリングする方法に関する。
【０００９】
本発明の一目的は、Ｎｏｄｅ−ＢがＲＮＣから受信した情報を用いてＵＥの上りリンク伝送電力のスケジューリングを行い、それによって上りリンクチャネルの非常に効率的なスケジューリングを獲得する上りリンク伝送電力をスケジューリングするための方法を提供することにある。
【課題を解決するための手段】
【００１０】
本発明の追加的な利点、目的及び特徴は、一部は以下の詳細な説明で説明され、一部は以下説明に基づいて技術分野における通常の知識を持つ者にとっては明白なもので、本発明の実行によって明らかになるであろう。上記発明の目的、他の利点は、添付の図面の他、ここに作成された説明及び請求項によって指摘された構造によって実現され、得られることができる。
【００１１】
以上の目的及び他の長所を得るために、そして発明の目的に応じてここに組み込まれて広く記述される一実施例として、無線通信システムで干渉を減らすための上りリンク伝送電力を制御する方法は、無線ネットワーク制御機と機能的に接続された基地局と使用者機器間の上りリンク専用チャネルを介して上りリンク通信を設定する段階を含む。前記方法はまた、前記使用者機器の伝送電力を制御するために基地局から、他の基地局に関連するハンドオーバーにある少なくとも一つの使用者機器と関連した情報に応答して決定され、無線ネットワーク制御機から受信した伝送電力情報を含むスケジューリング情報から決定される、スケジューリング命令語を受信する段階を含む。前記方法はまた、前記スケジューリング命令語に応答して上りリンクデータ伝送を制御する段階を含む。
【００１２】
前記スケジューリング命令語は、前記無線ネットワーク制御機と通信中にある多数の使用者機器のうち各一つのための、相応する最大伝送電力レベルに関連するものでありうる。前記スケジューリング命令語は、前記上りリンク専用チャネルを制御するのに適用されることができる。前記スケジューリング命令語は、絶対的な電力レベルを含むことができる。或いは、前記スケジューリング命令語は、相対的な電力レベルを含むことができる。前記基地局は、Ｎｏｄｅ−Ｂでありうる。前記伝送電力情報は、前記使用者機器による隣り合う基地局に対する干渉に応答して決定されることができる。前記干渉は、（１）前記隣り合う基地局から前記使用者機器までの距離、（２）フェーディング、及び、（３）前記使用者機器の速度のうち少なくとも一つを含むことができる。前記基地局によって制御されるセル境界に近接している使用者機器が、前記基地局により近接している使用者機器よりも低い伝送電力レベルを受けることができる。
【００１３】
他の実施例として、無線通信システムで干渉を減らす上りリンク伝送電力をスケジューリングする方法は、無線ネットワーク制御機と機能的に接続された基地局と使用者機器間の上りリンク専用チャネルを介して上りリンク通信を設定する段階を含む。また、前記方法は、前記使用者機器の伝送電力を制御するために前記使用者機器に、他の基地局とソフトハンドオーバーの関係にある少なくとも一つの使用者機器に関連する情報に応答して決定され、前記無線ネットワーク制御機から受信する伝送電力情報を含むスケジューリング情報から決定される、スケジューリング命令語を伝送し、前記使用者機器は、前記スケジューリング命令語に応答して上りリンクデータ伝送を制御することを特徴とするスケジューリング命令語伝送段階を含む。
【００１４】
本発明の以上の、そして他の目的、特徴、形状及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００１５】
本発明は、広域無線接続システムに適用されることができる。
【発明を実施するための最良の形態】
【００１６】
以下、本発明の好ましい実施形態、添付された図面に表された例について詳細に説明する。図面中、同一の構成要素には可能な限り同一の参照番号を共通使用するものとする。
【００１７】
本発明によって、ＵＥの上りリンク伝送電力をスケジューリングするためのＮｏｄｅ−Ｂスケジューリング技術が、高速パケット伝送のためのＥ−ＤＣＨｓに適用される。本発明の一実施形態によれば、各Ｎｏｄｅ−Ｂは、Ｎｏｄｅ−Ｂによって制御されるセルに属するＵＥに割り当てうる最大伝送電力に対する制御命令語を、ＲＮＣから受信する。これは、Ｎｏｄｅ−Ｂがスケジューリングを行う時に隣り合うセルに対する干渉を考慮できるようにする。
【００１８】
図２に、本発明の一実施形態による上りリンクＮｏｄｅ−Ｂスケジューリング方法を示す。図２に基づいて説明される実施形態は、隣り合うセルが存在する場合の上りリンクスケジューリング方法を説明するために用いられることができる。
【００１９】
図２に示すように、ＵＥ１  ２４、ＵＥ２  ２５及びＵＥ３  ２６が、Ｎｏｄｅ−Ｂ１  ２２のスケジューリングにしたがって上りリンクでデータを伝送する。ＵＥ１  ２４は、Ｎｏｄｅ−Ｂ１  ２２と通信中であり、ＵＥ２  ２５及びＵＥ３  ２６はソフトハンドオーバーを行う。
【００２０】
図２を再び参照すると、ＵＥ１  ２４はＮｏｄｅ−Ｂ２  ２３から遠くに位置する。したがって、ＵＥ１  ２４は、Ｎｏｄｅ−Ｂ２  ２３によって制御されるセル２８に属する他のＵＥの上りリンク伝送に相対的に低い干渉を引き起こす。しかし、ＵＥ２  ２５及びＵＥ３  ２６は、Ｎｏｄｅ−Ｂ２  ２３の近くに位置するのでＵＥ２  ２５及びＵＥ３  ２６は、Ｎｏｄｅ−Ｂ２  ２３によって制御されるセル２８に属する他のＵＥの上りリンク伝送に相対的に高い干渉を引き起こす。
【００２１】
また、Ｎｏｄｅ−Ｂ１  ２２によって制御されるセル２７に属する３個のＵＥ  ２４，２５，２６が、Ｎｏｄｅ−Ｂ１  ２２に隣り合うＮｏｄｅ−Ｂ２  ２３によって制御されるセル２８に属する他のＵＥの上りリンク伝送に干渉を引き起こすことができる。この場合、干渉の度合を決定する要素は、Ｎｏｄｅ−Ｂ２  ２３からの距離だけでなく、フェーディング及び動作速度を含む。
【００２２】
ＲＮＣ  ２１は、ＵＥ  ２４，２５，２６に割り当てられうる最大伝送電力に対するスケジューリング情報を、Ｎｏｄｅ−Ｂ１  ２２に伝達する。前記スケジューリング情報は、Ｎｏｄｅ−Ｂ１  ２２内のＵＥが隣り合うセル２８に引き起こす干渉（すなわち、Ｎｏｄｅ−Ｂ２  ２３）に引き起こされる干渉）の度合を考慮することができる。この実施形態においてより高い上りリンク伝送電力が、Ｎｏｄｅ−Ｂ２  ２３からの距離が減るにつれてＵＥ１  ２４、ＵＥ２  ２５及びＵＥ３  ２６のそれぞれに割り当てられる。すなわち、ＵＥ１  ２４は、ＵＥ２  ２５よりも一層多くの上りリンク伝送電力が割り当てられ、ＵＥ２  ２５は、ＵＥ３  ２６よりも一層多くの上りリンク伝送電力が割り当てられる。前記方法は、Ｎｏｄｅ−Ｂ１  ２２によって制御されるセルの全体にわたるスループット及び容量を一定に維持し、Ｎｏｄｅ−Ｂ２  ２３によって制御されるセルの干渉を最小化できるようにする。したがって、Ｎｏｄｅ−Ｂ１  ２２によって制御されるセルの全体にわたるスループット及び容量が一定に維持されることができる。しかも、Ｎｏｄｅ−Ｂ２  ２３によって制御されるセルの干渉が最小化できる。
【００２３】
本発明によれば、以上の説明から明らかなように、ＲＮＣから受信した情報を使用してＵＥの上りリンク伝送電力のスケジューリングを行うことによって、隣り合うセルに対する干渉を最小限に抑えることができる。
【００２４】
一実施例において、無線通信システムで干渉を減らすための上りリンク伝送電力を制御する方法は、無線ネットワーク制御機と機能的に接続された基地局と使用者機器間の上りリンク専用チャネルを介して上りリンク通信を設定する段階を含む。前記方法はまた、前記使用者機器の伝送電力を制御するために基地局から、他の基地局と関連するハンドオーバーにある少なくとも一つの使用者機器と関連する情報に応答して決定され、無線ネットワーク制御機から受信した伝送電力情報を含むスケジューリング情報から決定される、スケジューリング命令語を受信する段階を含む。前記方法はまた、前記スケジューリング命令語に応答して上りリンクデータ伝送を制御する段階を含む。
【００２５】
前記スケジューリング命令語は、前記無線ネットワーク制御機と通信中にある多数の使用者機器のうちの各一つのための、相応する最大伝送電力レベルと関連するものでありうる。前記スケジューリング命令語は、前記上りリンク専用チャネルを制御するのに適用されることができる。前記スケジューリング命令語は、絶対的な電力レベルを含むことができる。或いは、前記スケジューリング命令語は相対的な電力レベルを含むことができる。
【００２６】
前記基地局は、Ｎｏｄｅ−Ｂでありうる。前記伝送電力情報は、前記使用者機器による隣り合う基地局に対する干渉に応答して決定されることができる。前記干渉は、（１）前記隣り合う基地局から前記使用者機器までの距離、（２）フェーディング、及び、（３）前記使用者機器の速度のうち、少なくとも一つを含むことができる。前記基地局によって制御されるセル境界に近接している使用者機器が、前記基地局により近接している使用者機器よりも低い伝送電力レベルを受けることができる。
【００２７】
他の実施例において、無線通信システムで干渉を減らす上りリンク伝送電力をスケジューリングする方法は、無線ネットワーク制御機と機能的に接続された基地局と使用者機器間の上りリンク専用チャネルを介して上りリンク通信を設定する段階を含む。前記方法はまた、前記使用者機器の伝送電力を制御するために前記使用者機器に、他の基地局とのソフトハンドオーバー関係にある少なくとも一つの使用者機器と関連する情報に応答して決定され、前記無線ネットワーク制御機から受信する伝送電力情報を含むスケジューリング情報から決定される、スケジューリング命令語を伝送し、前記使用者機器は、前記スケジューリング命令語に応答して上りリンクデータ伝送を制御することを特徴とするスケジューリング命令語伝送段階を含む。
【００２８】
本発明は、無線ネットワーク制御機から受信した情報を用いて使用者機器の上りリンク伝送電力のスケジューリングを行うことによって、隣り合うセルに対する干渉が最小限に抑えられるようにする。
【００２９】
本発明の様々な実施例がＮｏｄｅ−Ｂと関連して説明されたが、本発明は、いずれもの基地局または固定された通信局など他のタイプにも適用可能である。
【００３０】
本発明の思想または範囲を逸脱しない限度内で本発明を様々に修正及び変更できることは、当業者にとって明白である。したがって、本発明は、添付する特許請求の範囲及びその均等範囲内で提供される修正及び変更を含むことは無論である。
【図面の簡単な説明】
【００３１】
【図１】従来の上りリンクＮｏｄｅ−Ｂスケジューリング方法を示す図である。
【図２】本発明の一実施形態による上りリンクＮｏｄｅ−Ｂスケジューリング方法を示す図である。
【図１】
2008510355.tif 000003
【図２】
2008510355.tif 000004
【国際調査報告】
2008510355.tif 000005
2008510355.tif 000006